(57)【特許請求の範囲】
【請求項１】
ゲートされたパイロット信号を捕捉する方法であって：
第１のゲートされたパイロット信号を検索すること、ここで、該第１のゲートされたパイロット信号の該検索は：
各々が異なるコード間隔で検出される複数の第１のゲートされたパイロット信号を検出すること、
該コード間隔を互いにオーバーレイすること、及び
該第１のゲートされたパイロット信号が該オーバーレイされたコード間隔における時間ウィンドウの中にあるかどうかを判断すること、を具備する；
該第１のゲートされたパイロット信号の該検索からタイミング情報を導出すること；及び
該タイミング情報を使用して第２のゲートされたパイロット信号を検索すること、
を具備する方法。
【請求項２】
請求項１の方法、ここで、該ゲートされたパイロット信号の該検索は、信号を受信すること、及びビット系列と該受信した信号とを相関付けることを具備する。
【請求項３】
請求項２の方法、ここで、該ビット系列は、擬似ノイズ・コードを具備する。
【請求項４】
請求項２の方法、ここで、該第２のゲートされたパイロット信号の該検索は、該第１のゲートされたパイロット信号の検索に使用した該ビット系列とは異なる第２のビット系列と該受信した信号とを相関付けることを具備する。
【請求項５】
請求項４の方法、ここで、該ビット系列及び該第２のビット系列は、擬似ノイズ・コードをそれぞれ具備する。
【請求項６】
請求項１の方法、ここで、該タイミング情報の導出は、該オーバーレイされたコード間隔における該時間ウィンドウの位置の関数である。
【請求項７】
請求項１の方法、ここで、該第１のゲートされたパイロット信号の該検出は、信号を受信すること、及び各々が互いに異なる複数のビット系列と該受信した信号とを相関付けることを具備する。
【請求項８】
請求項１の方法、ここで、該第１のゲートされたパイロット信号の該検索は、信号を受信すること、及び該受信した信号の第１の部分と第１のビット系列とを相関付けることを具備する、ここで、該第２のゲートされたパイロット信号の該検索は、該第１のビット系列とは異なる第２のビット系列を該受信した信号の第２の部分と相関付けることを具備し、該受信した信号の該第２の部分は、該受信した信号の該第１の部分よりも短い。
【請求項９】
請求項８の方法、ここで、該第１及び第２のビット系列は、擬似ノイズ・コードをそれぞれ具備する。
【請求項１０】
請求項８の方法、ここで、該第２のゲートされたパイロット信号の該検索は、該タイミング情報の関数として該受信した信号の該第２の部分を規定することをさらに具備する。
【請求項１１】
請求項１の方法、ここで、該第２のゲートされたパイロット信号の検索は、該タイミング情報を使用して時間内に検索ウィンドウを設定すること、及び該検索ウィンドウ内で該第２のゲートされたパイロット信号を検出することを具備する。
【請求項１２】
受信機であって：
ビット系列を生成するために構成されたサーチャ；
該ビット系列と受信した信号とを相関付けるために構成されたコリレータ；及び
複数の異なるビット系列を通して該サーチャをシーケンシングすることによって、各々の該ビット系列と該受信した信号との間の該相互関係をオーバーレイすることによって、及び該オーバーレイされた相互関係の時間ウィンドウ内で該第１のゲートされたパイロット信号を検出することによって、該相互関係の関数として第１のゲートされたパイロット信号を検出するため、
該第１のゲートされたパイロット信号からタイミング情報を導出するため、及び
該サーチャによって生成された該ビット系列を制御するために該タイミング情報を使用することによって第２のゲートされたパイロット信号を検出するため、
に構成されたプロセッサ、
を具備する受信機。
【請求項１３】
請求項１２の受信機であって、該受信した信号を記憶するために構成されたメモリをさらに具備し、該コリレータは該ビット系列と該記憶した受信した信号とを相関付けるために構成される、受信機。
【請求項１４】
請求項１２の受信機、ここで、該コリレータは、レーキ受信機を具備する。
【請求項１５】
請求項１２の受信機、ここで、該サーチャによって生成された該ビット系列は、擬似ノイズ・コードを具備する。
【請求項１６】
請求項１２の受信機、ここで、該プロセッサは、該第１のゲートされたパイロット信号を検出するために使用する該ビット系列が該第２のゲートされたパイロット信号を検出するために使用した該ビット系列と異なるように、該サーチャによって生成される該ビット系列を制御するためにさらに構成される。
【請求項１７】
請求項１２の受信機、ここで、該プロセッサは、該オーバーレイされた相互関係の該時間ウィンドウの位置の関数として該タイミング情報を導出するためにさらに構成される。
【請求項１８】
請求項１２の受信機、ここで、該プロセッサは、該ビット系列が該第１のゲートされたパイロット信号の該検出の期間に該受信した信号の第１の部分と相関付けられ、そして該ビット系列が該第２のゲートされたパイロット信号の該検出の期間に該受信した信号の第２の部分と相関付けられるように、該サーチャを制御するためにさらに構成され、該受信した信号の該第２の部分は該受信した信号の該第１の部分よりも短い。
【請求項１９】
請求項１８の受信機、ここで、該サーチャによって生成された該ビット系列は、擬似ノイズ・コードを具備する。
【請求項２０】
請求項１８の受信機、ここで、該プロセッサは、該タイミング情報の関数として該受信した信号の該第２の部分を規定するためにさらに構成される。
【請求項２１】
請求項１２の受信機、ここで、該プロセッサは、該第２のゲートされたパイロット信号の該検出の期間に該タイミング情報を使用して時間内に検索ウィンドウを設定するため、そして該検索ウィンドウ内で該第２のゲートされたパイロット信号を検出するためにさらに構成される。
【請求項２２】
ゲートされたパイロット信号を捕捉する方法を実行するためにコンピュータによって実行可能である命令のプログラムを組み込んでいるコンピュータ読み取り可能な媒体であって、該方法は：
第１のゲートされたパイロット信号を検索すること、ここで、該第１のゲートされたパイロット信号の該検索は：
各々が異なるコード間隔で検出される複数の第１のゲートされたパイロット信号を検出すること、
該コード間隔を互いにオーバーレイすること、及び
該第１のゲートされたパイロット信号が該オーバーレイされたコード間隔における時間ウィンドウ内であるかどうかを判断すること、を具備する；
該第１のゲートされたパイロット信号の該検索からタイミング情報を導出すること；及び
該タイミング情報を使用して第２のゲートされたパイロット信号を検索すること、
を具備する方法である、コンピュータ読み取り可能な媒体。
【請求項２３】
請求項２２のコンピュータ読み取り可能な媒体、ここで、該ゲートされたパイロット信号の該検索は、信号を受信すること、及びビット系列と該受信した信号とを相関付けることを具備する。
【請求項２４】
請求項２３のコンピュータ読み取り可能な媒体、ここで、該ビット系列は、擬似ノイズ・コードを具備する。
【請求項２５】
請求項２３のコンピュータ読み取り可能な媒体、ここで、該第２のゲートされたパイロット信号の該検索は、該第１のゲートされたパイロット信号を検索するために使用した該ビット系列とは異なる第２のビット系列と該受信した信号とを相関付けることを具備する。
【請求項２６】
請求項２５のコンピュータ読み取り可能な媒体、ここで、該ビット系列及び該第２のビット系列は、擬似ノイズ・コードをそれぞれ具備する。
【請求項２７】
請求項２２のコンピュータ読み取り可能な媒体、ここで、該タイミング情報の導出は、該オーバーレイされたコード間隔における該時間ウィンドウの位置の関数である。
【請求項２８】
請求項２２のコンピュータ読み取り可能な媒体、ここで、該第１のゲートされたパイロット信号の該検出は、信号を受信すること、及び各々が互いに異なる複数のビット系列と該受信した信号とを相関付けることを具備する。
【請求項２９】
請求項２２のコンピュータ読み取り可能な媒体、ここで、該第１のゲートされたパイロット信号の該検索は、信号を受信すること、及び該受信した信号の第１の部分と第１のビット系列とを相関付けることを具備する、ここで、該第２のゲートされたパイロット信号の該検索は、該受信した信号の第２の部分と該第１のビット系列とは異なる第２のビット系列とを相関付けることを具備し、該受信した信号の該第２の部分は、該受信した信号の該第１の部分より短い。
【請求項３０】
請求項２９のコンピュータ読み取り可能な媒体、ここで、該第１及び第２のビット系列は、擬似ノイズ・コードをそれぞれ具備する。
【請求項３１】
請求項２９のコンピュータ読み取り可能な媒体、ここで、該第２のゲートされたパイロット信号の該検索は、該タイミング情報の関数として該受信した信号の該第２の部分を規定することをさらに具備する。
【請求項３２】
請求項２２のコンピュータ読み取り可能な媒体、ここで、該第２のゲートされたパイロット信号の検索は、該タイミング情報を使用して時間内に検索ウィンドウを設定すること、及び該検索ウィンドウ内で該第２のゲートされたパイロット信号を検出することを具備する。
【請求項３３】
第１のゲートされたパイロット信号を検出するための第１の検出手段、ここで、該第１の検出手段は：
複数の異なるビット系列を通してビット手段をシーケンシングするための手段、
該ビット系列のそれぞれと受信した信号との間の相互関係をオーバーレイするための手段、及び
該オーバーレイされた相互関係の時間ウィンドウ内で該第１のゲートされたパイロット信号を検出するための手段を具備する；及び
該第１のゲートされたパイロット信号からタイミング情報を導出するためのタイミング手段；及び
該タイミング情報を使用することにより第２のゲートされたパイロット信号を検出するための第２の検出手段、
を具備する受信機。
【請求項３４】
請求項３３の受信機であって、ビット系列を生成するためのビット手段、及び該ビット系列と受信した信号とを相関付けるための相関手段、をさらに具備し、該第１及び第２の検出手段は、それぞれ該相関手段に敏感である、受信機。
【請求項３５】
請求項３４の受信機であって、該受信した信号を取り込むための手段をさらに具備し、該相関手段は該ビット系列と該取り込んだ受信した信号とを相関付けるために構成される、受信機。
【請求項３６】
請求項３４の受信機、ここで、該相関手段は、レーキ受信機を具備する。
【請求項３７】
請求項３４の受信機、ここで、該ビット手段によって生成された該ビット系列は、擬似ノイズ・コードを具備する。
【請求項３８】
請求項３４の受信機、ここで、該第１の検出手段は、第１のビット系列を生成するために該ビット手段を制御するための手段を具備し、及び該第２の検出手段は、該第１のビット系列とは異なる第２のビット系列を生成するために該ビット手段を制御するための手段を具備する。
【請求項３９】
請求項３３の受信機、ここで、該タイミング手段は、該オーバーレイされた相互関係の該時間ウィンドウの位置の関数として該タイミング情報を導出するための手段をさらに具備する。
【請求項４０】
請求項３４の受信機、ここで、該第１の検出手段は、該ビット系列が該受信した信号の第１の部分と相関付けられるように該ビット手段を制御するための手段を具備し、及び該第２の検出手段は、該ビット系列が該受信した信号の第２の部分と相関付けられるように該ビット手段を制御するための手段を具備する、該受信した信号の第２の部分は該受信した信号の該第１の部分よりも短い。
【請求項４１】
請求項４０の受信機、ここで、該ビット手段によって生成された該ビット系列は、擬似ノイズ・コードを具備する。
【請求項４２】
請求項４０の受信機、ここで、該第２の検出手段は、該タイミング情報の関数として該受信した信号の該第２の部分を規定するための手段を具備する。
【請求項４３】
請求項３３の受信機、ここで、該第２の検出手段は、該タイミング情報を使用して時間内に検索ウィンドウを設定するための手段、及び該検索ウィンドウ内で該第２のゲートされたパイロット信号を検出するための手段を具備する。
【請求項４４】
ゲートされたパイロット信号を捕捉する方法であって：
第１のコセットからのビット系列をそれぞれ具備する複数の第１のゲートされたパイロット信号を検索すること、ここで、該第１のゲートされたパイロット信号の該検索は、異なるコード間隔でそれぞれ検出される複数の第１のゲートされたパイロット信号を検出すること、互いに該コード間隔をオーバーレイすること、及び該第１のゲートされたパイロット信号が該オーバーレイされたコード間隔における時間ウィンドウ内であるかどうかを判断することを具備する；
該第１のゲートされたパイロット信号の該検索からタイミング情報を導出すること；及び
該タイミング情報を使用して複数の第２のゲートされたパイロット信号を検索することを具備し、各々の該第２のゲートされたパイロット信号は、該第１のコセット以外の複数のコセットのうちの１からのビット系列を具備する、
方法。
【請求項４５】
請求項４４の方法、ここで、該第１のゲートされたパイロット信号の該検索は、信号を受信すること、及び該第１のコセットからの該ビット系列のそれぞれと該受信した信号とを相関付けることを具備する。
【請求項４６】
請求項４５の方法、ここで、該第１のコセットからの該ビット系列のそれぞれは、擬似ノイズ・コードを具備する。
【請求項４７】
請求項４５の方法、ここで、該第２のゲートされたパイロット信号の該検索は、該第１のコセット以外の各々の該コセットからの該ビット系列のそれぞれと該受信した信号とを相関付けることを具備する。
【請求項４８】
請求項４７の方法、ここで、各々の該コセットからの該ビット系列のそれぞれは、擬似ノイズ・コードを具備する。
【請求項４９】
請求項４４の方法、ここで、該タイミング情報の導出は、該オーバーレイされたコード間隔における該時間ウィンドウの位置の関数である。
【請求項５０】
請求項４４の方法、ここで、該第１のゲートされたパイロット信号の該検出は、信号を受信すること、及び各々が互いに異なる複数のビット系列と該受信した信号とを相関付けることを具備する。
【請求項５１】
ゲートされたパイロット信号を捕捉する方法であって：
第１のコセットからのビット系列をそれぞれ具備する複数の第１のゲートされたパイロット信号を検索すること、ここで、該第１のゲートされたパイロット信号の該検索は、信号を受信すること、及び該受信した信号の第１の部分と該第１のコセットからの該ビット系列のそれぞれとを相関付けること、を具備する；
該第１のゲートされたパイロット信号の該検索からタイミング情報を導出すること；及び
該タイミング情報を使用して複数の第２のゲートされたパイロット信号を検索すること、ここで、各々の該第２のゲートされたパイロット信号は、該第１のコセット以外の複数のコセットのうちの１からのビット系列を具備する、ここで、該第２のゲートされたパイロット信号の該検索は、該受信した信号の第２の部分と該第１のコセット以外の各々の該コセットからの該ビット系列のそれぞれとを相関付けることを具備する、ここで、該受信した信号の該第２の部分は、該受信した信号の該第１の部分より短い、
を具備する方法。
【請求項５２】
請求項５１の方法、ここで、各々の該コセットからの該ビット系列のそれぞれは、擬似ノイズ・コードを具備する。
【請求項５３】
請求項５１の方法、ここで、該第２のゲートされたパイロット信号の該検索は、該タイミング情報の関数として該受信した信号の該第２の部分を規定することをさらに具備する。
【請求項５４】
請求項４４の方法、ここで、該第２のゲートされたパイロット信号の検索は、該タイミング情報を使用して時間内に検索ウィンドウを設定すること、及び該検索ウィンドウ内で該第２のゲートされたパイロット信号を検出することを具備する。
【請求項５５】
ビット系列を生成するために構成されたサーチャ；
該ビット系列と受信した信号とを相関付けるために構成されたコリレータ；及び
第１のコセットからの複数の第１のビット系列を通して該サーチャをシーケンシングすることによって複数の第１のゲートされたパイロット信号を検索するため、該第１のコセットからの該ビット系列のそれぞれと該受信した信号との該相互関係の関数としてタイミング情報を導出するため、及び該第１のコセット以外の複数のコセットそれぞれからの複数のビット系列を通して該サーチャをシーケンシングすることによって、そして該タイミング情報の関数として該受信した信号とのそれらの該相互関係を制御することによって複数の第２のゲートされたパイロット信号を検索するために、構成されたプロセッサ、
ここで、該プロセッサは、該受信した信号と該第１のコセットからの該ビット系列の各々との該相互関係をオーバーレイするため、及び該オーバーレイされた相互関係の時間ウィンドウ内で該第１のゲートされたパイロット信号を検索するためにさらに構成される
を具備する受信機。
【請求項５６】
請求項５５の受信機であって、該受信した信号を記憶するために構成されたメモリ、をさらに具備し、該コリレータは該サーチャによって生成される該ビット系列と該記憶した受信した信号とを相関付けるために構成される、受信機。
【請求項５７】
請求項５５の受信機、ここで、該コリレータは、レーキ受信機を具備する。
【請求項５８】
請求項５５の受信機、ここで、該サーチャによって生成された各々の該ビット系列は、擬似ノイズ・コードを具備する。
【請求項５９】
請求項５５の受信機、ここで、該プロセッサは、該オーバーレイされた相互関係の該時間ウィンドウの位置の関数として該タイミング情報を導出するためにさらに構成される。
【請求項６０】
ビット系列を生成するために構成されたサーチャ；
該ビット系列と受信した信号とを相関付けるために構成されたコリレータ；及び
第１のコセットからの複数の第１のビット系列を通して該サーチャをシーケンシングすることによって複数の第１のゲートされたパイロット信号を検索するため、該第１のコセットからの該ビット系列のそれぞれと該受信した信号との該相互関係の関数としてタイミング情報を導出するため、及び該第１のコセット以外の複数のコセットそれぞれからの複数のビット系列を通して該サーチャをシーケンシングすることによって、そして該タイミング情報の関数として該受信した信号とのそれらの該相互関係を制御することによって複数の第２のゲートされたパイロット信号を検索するために、構成されたプロセッサ、
ここで、該プロセッサは、該第１のコセットからの該ビット系列のそれぞれが該受信した信号の第１の部分と相関付けられるように、そして該第１のコセット以外の各々の該コセットからの該ビット系列のそれぞれが該受信した信号の第２の部分と相関付けられるように、該サーチャを制御するためにさらに構成される、該受信した信号の該第２の部分は該受信した信号の該第１の部分より短い、
を具備する受信機。
【請求項６１】
請求項６０の受信機、ここで、該サーチャによって生成された各々の該ビット系列は、擬似ノイズ・コードを具備する。
【請求項６２】
請求項６０の受信機、ここで、該プロセッサは、該タイミング情報の関数として該受信した信号の該第２の部分を規定するためにさらに構成される。
【請求項６３】
請求項６０の受信機、ここで、該プロセッサは、該受信した信号に関して時間内に検索ウィンドウを設定するため、及び該第１のコセット以外の各々の該コセットからの該ビット系列のそれぞれと該受信された信号との該相関付けを該検索ウィンドウに制限することによって該第２のゲートされたパイロット信号を検索するためにさらに構成される。
【請求項６４】
通信チャネルを設定する方法であって：
第１のコセットからのビット系列をそれぞれが具備する第１のゲートされたパイロット信号を複数の第１の基地局のそれぞれから送信すること；
該第１のコセット以外の複数のコセットのうちの１からのビット系列をそれぞれが具備する第２のゲートされたパイロット信号を複数の第２の基地局のそれぞれから送信すること；
該第１のゲートされたパイロット信号を加入者局から検索すること、ここで、該第１のゲートされたパイロット信号の該検索は、該第１のコセットからの該ビット系列のそれぞれと該受信した送信とを相関付けること、該第１のコセットからの該ビット系列のそれぞれと該受信した送信との間の該相互関係をオーバーレイすること、及び該オーバーレイされた相互関係の時間ウィンドウ内で該第１のゲートされたパイロット信号を検索することを具備する；
該第１のゲートされたパイロット信号の該検索からタイミング情報を導出すること；
該タイミング情報を使用して該第２のゲートされたパイロット信号を該加入者局から検索すること；及び
該第１の及び第２のゲートされたパイロット信号の該検索に基づいて該加入者局と該第１及び第２の基地局のうちの１との間の通信チャネルを設定すること、
を具備する方法。
【請求項６５】
請求項６４の方法、ここで、該第１のゲートされたパイロット信号の該検索は、該加入者において該基地局の各々からの該送信を受信すること、及び該第１のコセットからの該ビット系列のそれぞれと該受信した送信とを相関付けることを具備する。
【請求項６６】
請求項６５の方法、ここで、該第１のコセットからの該ビット系列のそれぞれは、擬似ノイズ・コードを具備する。
【請求項６７】
請求項６５の方法、ここで、該第２のゲートされたパイロット信号の該検索は、該第１のコセット以外の各々の該コセットからの該ビット系列のそれぞれと該受信した送信とを相関付けることを具備する。
【請求項６８】
請求項６４の方法、ここで、各々の該コセットからの該ビット系列のそれぞれは、擬似ノイズ・コードを具備する。
【請求項６９】
請求項６４の方法、ここで、該タイミング情報の導出は、該オーバーレイされた相互関係における該時間ウィンドウの位置の関数である。
【請求項７０】
通信チャネルを設定する方法であって：
第１のコセットからのビット系列をそれぞれが具備する第１のゲートされたパイロット信号を複数の第１の基地局のそれぞれから送信すること；
該第１のコセット以外の複数のコセットのうちの１からのビット系列をそれぞれが具備する第２のゲートされたパイロット信号を複数の第２の基地局のそれぞれから送信すること；
該第１のゲートされたパイロット信号を加入者局から検索すること、ここで、該第１のゲートされたパイロット信号の該検索は、該基地局の各々からの該送信を該加入者において受信すること、及び受該信した送信の第１の部分と該第１のコセットからの該ビット系列のそれぞれとを相関付けることを具備する、
該第１のゲートされたパイロット信号の該検索からタイミング情報を導出すること；
該タイミング情報を使用して該第２のゲートされたパイロット信号を該加入者局から検索すること、ここで、該第２のゲートされたパイロット信号の該検索は、該受信した送信の第２の部分と該第１のコセット以外の各々の該コセットからの該ビット系列のそれぞれとを相関付けることを具備する、ここで、該受信した信号の該第２の部分は、該受信した信号の該第１の部分より短い；及び
該第１の及び第２のゲートされたパイロット信号の該検索に基づいて該加入者局と該第１及び第２の基地局のうちの１との間の通信チャネルを設定すること、
を具備する方法。
【請求項７１】
請求項７０の方法、ここで、各々の該コセットからの該ビット系列のそれぞれは、擬似ノイズ・コードを具備する。
【請求項７２】
請求項７０の方法、ここで、該第２のゲートされたパイロット信号の該検索は、該タイミング情報の関数として該受信した送信の該第２の部分を規定することを具備する。
【請求項７３】
請求項６４の方法、ここで、第該２のゲートされたパイロット信号の検索は、該タイミング情報を使用して時間内に検索ウィンドウを設定すること、及び該検索ウィンドウ内で該第２のゲートされたパイロット信号を検索することを具備する。
【発明の詳細な説明】
【技術分野】
【０００１】
本発明は、一般に通信システムに係わり、より詳しくは、ゲートされたパイロット信号の捕捉のためのシステム及び技術に関する。
【背景技術】
【０００２】
近年の通信システムは、複数のユーザーが共通の通信メディアを共有することができるように設計されている。そのような通信システムの一つは、コード分割多元接続（ＣＤＭＡ）システムである。このＣＤＭＡ通信システムは、拡散スペクトル通信に基づいた変調及び多元接続方式である。ＣＤＭＡ通信システムにおいて、多数の信号が、同一の周波数スペクトルを共有し、その結果、ユーザー能力の増加をもたらす。これは、異なった擬似ノイズ（ＰＮ）コードで各信号を送信することによって実現される。ＰＮコードは、キャリアを変調し、それによって、信号波形のスペクトルを拡散する。送信された信号は、所望の信号のスペクトルを逆拡散（despread）するために対応するＰＮコードを使用するコリレータによって受信機中で分離される。そのＰＮコードが合致しない不必要な信号は、帯域幅において逆拡散されずに、単なるノイズとして寄与する。
【０００３】
ＣＤＭＡ通信システムにおいて、加入者局は、ネットワークをアクセスすることができる、あるいは１又はそれ以上の基地局を経由して他の加入者局と通信することができる。各々の基地局は、一般にセルと呼ばれる特定の地理的領域にある全ての加入者局を取り扱うように構成される。ある高度なトラフィックアプリケーションにおいて、セルは、各セクタを取り扱う基地局を有するセクタに分割されることができる。各基地局は、連続するパイロット信号を送信し、そのパイロット信号は、加入者局によって、基地局と同期させるために、そして一旦加入者局が基地局と同期されると送信された信号のコヒーレント(coherent)な復調を提供するために使用される。加入者局は、一般に最も強いパイロット信号を有する基地局と通信チャネルを設定する。
【０００４】
連続するパイロット信号は、それ以外の時は情報を送信するために使用される帯域幅を必要とするため、最近開発されたあるＣＤＡＭ通信システムは、ゲートされたパイロット信号を採用している。パイロット信号をゲーティングすることによって、追加の帯域幅が実現されることができ、それは基地局の能力を増加させる。しかしながら、加入者局をゲートされたパイロット信号に同期させることは、非常に非効率的であるであろう。その理由は、加入者局が、パイロット信号が存在しない期間中にパイロット信号を検索することに、多大なリソースを費やすためである、
【発明の開示】
【サマリー】
【０００５】
本発明の１態様では、ゲートされたパイロット信号を捕捉する方法は、第１のゲートされたパイロット信号を検索すること、第１のゲートされたパイロット信号の検索からタイミング情報を導出すること、及びタイミング情報を使用して第２のゲートされたパイロット信号を検索することを含む。
【０００６】
本発明の他の１態様では、受信機は、ビット系列を生成するために構成されたサーチャ、ビット系列と受信した信号とを相関付けるために構成されたコリレータ、及び相互関係の関数として第１のゲートされたパイロット信号を検出するため、第１のゲートされたパイロット信号からタイミング情報を導出するため、及びサーチャによって生成されたビット系列を制御するためのタイミング情報を使用することによって第２のゲートされたパイロット信号を検出するために構成されたプロセッサを含む。
【０００７】
さらに本発明の他の１態様では、ゲートされたパイロット信号を捕捉する方法を実施するコンピュータによって実行可能である命令のプログラムを組み込んでいるコンピュータ読み取り可能な媒体であって、その方法は、第１のゲートされたパイロット信号を検索すること、第１のゲートされたパイロット信号の検索からタイミング情報を導出すること、そしてタイミング情報を使用して第２のゲートされたパイロット信号を検索することを含む。
【０００８】
本発明のさらなる１態様では、受信機は、第１のゲートされたパイロット信号を検出するための第１の検出手段、第１のゲートされたパイロット信号からタイミング情報を導出するためのタイミング手段、及びタイミング情報を使用して第２のゲートされたパイロット信号を検出するための第２の検出手段を含む。
【０００９】
さらに本発明のさらなる１態様では、ゲートされたパイロット信号を捕捉する方法は、第１のコセットからのビット系列をそれぞれ具備する複数の第１のゲートされたパイロット信号を検索すること、第１のゲートされたパイロット信号の検索からタイミング情報を導出すること、そしてタイミング情報を使用して複数の第２のゲートされたパイロット信号を検索すること、各々の第２のゲートされたパイロット信号は、第１のコセット以外の複数のコセットの１からのビット系列を具備することを含む。
【００１０】
本発明の他の１態様では、受信機は、ビット系列を生成するために構成されたサーチャ、ビット系列と受信した信号とを相関付けるために構成されたコリレータ、及び第１のコセットからの複数の第１のビット系列を通してサーチャをシーケンシングすることによって複数の第１のゲートされたパイロット信号を検索すること、第１のコセットからの各々のビット系列と受信した信号との相互関係の関数としてタイミング情報を導出すること、及び第１のコセット以外の複数のコセットの各々からの複数のビット系列を通してサーチャをシーケンシングすることによって、及びそれをタイミング情報の関数として受信した信号との相互関係を制御することによって複数の第２のゲートされたパイロット信号を検索することを含む。
【００１１】
さらに本発明の他の１態様では、通信チャネルを設定する方法は、第１のコセットからのビット系列をそれぞれが具備する第１のゲートされたパイロット信号を複数の第１の基地局のそれぞれから送信すること、第１のコセット以外の複数のコセットのうちの１つからのビット系列をそれぞれが具備する第２のゲートされたパイロット信号を複数の第２の基地局のそれぞれから送信すること、第１のゲートされたパイロット信号を加入者局から検索すること、及び第１のゲートされたパイロット信号の検索からタイミング情報を導出すること、タイミング情報を使用して第２のゲートされたパイロット信号を加入者局から検索すること、及び第１の及び第２のゲートされたパイロット信号の検索に基づいて加入者局と第１及び第２の基地局のうちの１つとの間の通信チャネルを設定することを含む。
【００１２】
本発明の他の実施形態は、以下の詳細な説明から、この分野に知識のある者にとって容易に明らかになるであろう。ここで、説明のために本発明の具体例の実施形態だけが示され、説明される。実現されるように、この発明は、他の及び異なる実施形態を可能にできる。そして、いくつかの詳細は、本発明の精神及び範囲から全てが逸脱しないで、種々の他の点において変形できる。したがって、図面及び詳細な説明は、制限するのではなく、その解説的な性質を重要視する。
【詳細な説明】
【００１３】
本発明の態様は、添付した図面に限定するのではなく、例として示され。
【００１４】
添付した図面と関連して以下になされる詳細な説明は、本発明の具体例の実施形態の説明を目的としており、本発明を実行することができる実施形態だけを表わすことを目的としていない。ある例において、詳細な説明は、本発明の理解を通して提供する目的のための具体的な詳細を含む。しかしながら、本発明は、これらの具体的な詳細なしに実行できることが、この分野に知識のあるものにとって明らかにされるであろう。他の例において、周知の構造及び装置は、本発明の概念を曖昧にすることを避けるためにブロック図の形式で示される。
【００１５】
通信システムのある具体例の実施形態では、ゲートされたパイロット信号の捕捉は、ゲートされたパイロット信号のある種の特性を活用する検索手法を利用することによって達成されることができる。例として、１又はそれ以上の基地局からのゲートされたパイロット信号のタイミング情報は、ＣＤＭＡ通信システムにおける他の基地局からの追加のゲートされたパイロット信号を検索するために使用される。一旦検索が完了すると、その後、加入者局は、捕捉のために最も強いゲートされたパイロット信号を容易に認識できる。さらに詳しくは、１又はそれ以上の基地局からのゲートされたパイロット信号からのタイミング情報は、残存のゲートされたパイロット信号が全体の検索時間を減少させるために生しるときに、予想するために使用されることがある。タイミング情報は、捕捉するために弱すぎる場合でさえ、ゲートされたパイロット信号から抽出されることができる。
【００１６】
本発明の種々の態様が、ＣＤＭＡ通信システムの状況において説明されるのであるが、ここで説明されるゲートされたパイロット信号を捕捉するための技術が、様々な他の通信環境における使用に対して同様に適していることを、この分野に知識のある者は、評価するであろう。したがって、ＣＤＭＡ通信システムに対するいかなる言及は、そのような発明的態様が広範なアプリケーションを有することを理解して、本発明の発明的態様を示すことのみを目的とする。
【００１７】
図１は、具体例の通信システム１００のシステム図である。通信システムは、加入者局１０２が、ネットワークにアクセスする、又は１又はそれ以上の基地局を経由して、他の加入者局と通信するメカニズムを提供する。説明を簡単にするために、３つの基地局１０４，１０６及び１０８だけが示される。しかしながら、実行の問題として、数多くの基地局は、セル毎に置かれた少なくとも１の基地局とともに動作している。セルは、セクタに分割されることがあり、基地局は、各セクタに置かれる。説明されたある具体例の実施形態では、各基地局１０４，１０６及び１０８は、それぞれゲートされたパイロット信号１１０，１１２及び１１４を送信する。ゲートされたパイロット信号は、ある基地局との初期の同期化のために加入者局１０２によって使用され、そして、加入者局が複数の基地局のうちの１つと一旦同期されると、送信された信号のコヒーレントな復調を与えるために使用される。
【００１８】
ゲートされたパイロット信号は、データを含まない、そして変調されていない拡散スペクトル信号として一般に特徴付けられる。それゆえ、各ゲートされたパイロット信号１１０，１１２及び１１４を拡散するために使用されるＰＮコードは、加入者局１０２が３つの基地局１０４，１０６及び１０８間を識別することを可能にするために異なるべきである。各ゲートされたパイロット信号を拡散するために使用されたＰＮコードは、加入者局１０２によって、アプリオリ(a priori：先験的に)、知られる。それゆえ、各ゲートされたパイロット信号１１０，１１２及び１１４は、ローカルに生成されたＰＮコードで相関プロセスを通して加入者局において逆拡散(despread)されることができる。通信チャネルは、その後、最も強いゲートされたパイロット信号を有する基地局と設定される。比較的一定の環境条件が与えられると、最も強いゲートされたパイロット信号は、一般に受信する加入者局１０２に最近接の基地局、この場合基地局１０６、から送信される。
【００１９】
ゲートされたパイロット信号の捕捉は、受信したゲートされたパイロット信号をローカルに生成したＰＮコードと同期させるために、時間及び周波数の不確実な領域の全体を通した検索を一般に必要とする。説明した具体例の実施形態では、加入者局１０２は、この検索を３回、各ゲートされたパイロット信号１１０，１１２及び１１４に対して１回、実施する。しかしながら、全ての基地局が互いに同期され、その結果、各基地局からのゲートされたパイロット信号が同時に発生するのであれば、初期検索からのタイミング情報は、追加の検索に対する時間及び周波数における不確実な領域を著しく減少するために使用されることができる。基地局の同期は、この分野で周知のいずれかの方法で実施されることができる。例として、基地局は、ナブスター・グローバル・ポジショニング(Navstar Global Positioning)衛星ナビゲーション・システムのような共通の時間基準に同期されることができる。同期された通信システムを用いて、加入者局１０２は、例として、基地局１０４からのゲートされたパイロット信号１１０を検出するために１回の検索を実施できる。基地局１０４からのゲートされたパイロット信号１１０が捕捉に対して弱すぎる場合でも、ゲートされた信号１１０は、残存するゲートされたパイロット信号１１２及び１１４の位置を決めるために時間基準として使用されることができる。実際的な問題として、初期検索は、タイミング基準がノイズによって損なわれる可能性を減少するために数多くのゲートされたパイロット信号を含むべきである。
【００２０】
応用の可能性を制限するのではないが、上述した検索手法は、特にＣＤＭＡ通信システムに適用できる。ＣＤＭＡ通信システムにおいて、各基地局から送信されるゲートされたパイロット信号は、異なる位相オフセットであるが、同一のＰＮコードを一般に有する。加入者局が全ての位相オフセットに対して単一のＰＮコード系列を通した検索で基地局をアクセスすることを可能にするため、同一のＰＮコードの使用は、有利である。位相オフセットは、各基地局に対するゲートされたパイロット信号が互いに識別されることを可能にする。
【００２１】
各基地局によって送信されるゲートされたパイロット信号は、順方向リンク波形のパイロット・チャネル中に含まれる。順方向リンクは、基地局から加入者局への送信をいう。順方向リンク波形は、一貫して説明された発明の概念から逸脱しないで種々の形式を取ることができる。例として、真に本来の“ゲートされた”パイロット信号は、最も単純な形式での順方向リンク・チャネル構造が、パイロット・チャネルで時分割マルチプレックスされた少なくとも１のチャネルを含むことを意味する。説明された具体例の実施形態では、パイロット・チャネルは、トラフィック・チャネルで時分割マルチプレックスされる。結果としての順方向リンク波形は、ＰＮコードで拡散され、キャリア波形上に変調され、増幅され、そして基地局によってそれぞれのセル又はセクタ中に送信される。
【００２２】
より複雑な順方向リンク・チャネル構造も、予想される。例として、トラフィック・チャネルは、ウォルシュ関数を使用して生成された内部直交コードで各トラフィック・チャネルを拡散することによって多元コード・チャネルに解体されることができる。あるいは、パイロット・チャネルは、ウォルシュ・カバーで拡散されることができ、そして、付加的なコード及び時間チャネルは、同期化チャネル、ページング・チャネル、及びトラフィック・チャネルに含むために追加されることができる。
【００２３】
ＣＤＭＡ通信システムにおいて、ＰＮコードは、周期的であり、６４チップだけ離れた５１２の位相オフセットで周期毎に３２，７６８チップであるように典型的に選択される。パイロット信号は、ＰＮコードによって拡散され、周期毎に３２パイロット信号バーストで送信される。この手法を採用している具体例のＣＤＭＡ通信システムは、“第３世代パートナーシップ・プロジェクト”と呼ばれるコンソーシアムによって公表された、高データ・レート（ＨＤＲ）通信システムである。ＨＤＲ通信システムは、“ｃｄｍａ高レート・パケット・データ・エアー・インターフェース仕様”、３ＧＰＰ２  Ｃ．Ｓ００２４、第２版、２０００年１０月２７日、のような１又はそれ以上の標準に適合するように典型的には設計される。前述の標準の内容は、ここに引用として取り込まれている。ＨＤＲ以外の通信システムでは、パイロット信号を拡散するためのＰＮコードの長さは、種々の因子に依存して変化できる。ショートＰＮコードは、早い捕捉時間を容易にするのに対して、ロングＰＮコードは、コード処理利得を増加する。この分野に知識のある者は、ＰＮコードの最適な長さを決定するために性能のトレードオフを容易に評価することが可能である。さらに、位相オフセット、スペーシング、及び周期当たりのパイロット・バーストの数は、システム・パラメータを最適化するために変化させることができる。
【００２４】
図２は、各々が３２，７６８チップの長さである１６のＰＮコード２０２を示している具体例の通信システムに関するタイミング図である。説明を易しくするために、用語“シンボル”は、ゲートされたパイロット信号がデータを含まないことを理解して６４チップのＰＮコード系列を認識するために略記の取り決めとして使用される。この取り決めを使用して、３２，７６８チップＰＮコードは、５１２シンボル系列によって表されることができる。各ＰＮコードは、１シンボル毎に位相がオフセットする同一のシンボル系列を含む。
【００２５】
各ＰＮコードは、パイロット信号を拡散するために使用される。ゲーティング関数２０４は、その後各拡散スペクトル・パイロット信号２０２に適用される。説明の目的で、ゲーティング関数は、１シンボル幅と１６シンボル周期を有するゲートとして定義される。このゲーティング関数２０４の結果として、１６の異なるシンボル系列２０６が、生成される。同一のシンボル系列は、ＰＮ０及びＰＮ１６によって示される１６ＰＮコード位相オフセット毎に生成される。位相シフトにかかわらず同一のシンボル系列を有する全てのゲートされたパイロット信号は、以下のようにコセットにグループ化される：  
コセット０：ＰＮ０，ＰＮ１６，ＰＮ３２，．．．ＰＮ４９６
コセット１：ＰＮ１，ＰＮ１７，ＰＮ３３，．．．ＰＮ４９７
コセット２：ＰＮ２，ＰＮ１８，ＰＮ３４，．．．ＰＮ４９８
．
．
．
コセット１５：ＰＮ１５，ＰＮ３１，ＰＮ４７，．．．ＰＮ５１１
ここで、コセットの数は、ＰＮコードの位相オフセットの数を周期当たりのパイロット信号バーストの数で割った値として定義されることができる。１のコセットからのパイロット信号バーストを検索する場合、他のコセットからのパイロット信号バーストは、見られない。
【００２６】
図３は、ＣＤＭＡ通信システムにおいて動作している加入者局の具体例の受信機のブロック図である。説明した具体例の実施形態では、全ての基地局からの信号送信は、１又はそれ以上のアンテナ３０２を経由して受信される。アンテナ３０２によって受信された結果としての重畳された信号は、ＲＦ部３０４に供給される。ＲＦ部３０４は、信号をフィルタしかつ増幅し、信号をベースバンドにダウンコンバートし、そして、ベースバンド信号をディジタル化する。ディジタル・サンプルは、捕捉の目的のためにメモリ３０６へ供給される。メモリ３０６は、パイロット信号バーストの周期に等しい又はより大きいチップの数を記憶する。このアプローチは、メモリ３０６に記憶されている各基地局から少なくとも１のゲートされたパイロット信号に帰着するはずである。３２，７６８チップのＰＮコード系列に対して３２パイロット信号バーストを有するＨＤＲ通信システムは、１０２４チップに等しいパイロット信号バースト周期を有する。
【００２７】
捕捉プロセスは、１コセットに対してすべてのパイロット信号バーストを見つけるためにメモリ中に記憶されたディジタル・サンプルを通して検索することを含む。これは、メモリ中に記憶されたディジタル・サンプルをローカルに生成されたＰＮコード系列と相関付けることによって達成されることができる。例として、サーチャ３０８は、同一のコセットにある各基地局からのゲートされたパイロット信号に共通のシンボル、すなわち、６４チップＰＮコード系列、を生成する。サーチャ３０８からのシンボルは、メモリ３０６中に記憶されたディジタル・サンプルと相関付けられる復調器３１０に接続される。サーチャ３０８は、メモリ３０６中の対応するシンボルを見つけるためにディジタル・サンプルを介した体系的な検索の一部分として位相順にシンボルを連続的にシフトする。説明した具体例の実施形態では、ローカルに生成されたゲートされたＰＮコードは、１／２チップ離れた間隔である遅延で利用できる。他の遅延は、種々の因子に依存して使用されることができる。短い遅延が、相互関係ゲインを増加するのに対して、長い遅延は、検索時間を減少する。この分野に知識のある者は、ローカルに生成されたＰＮコードに対して最適な遅延の増分を決定するために、性能のトレードオフを容易に評価することができる。一旦、ローカルに生成されたＰＮコードが、メモリ３０６中に記憶されたディジタル・サンプルに対して位相順に連続的にシフトされると、サーチャ３０８は、検索したコセットにおいて各基地局からのゲートされたパイロット信号に共通の次の連続シンボルを生成する。同様に、次のシンボルは、１／２チップ増加毎に位相順にシンボルを連続的にシフトすることによってメモリ３０６中に記憶されたディジタル・サンプルと相関付けられる。このプロセスは、３２シンボル全体が、メモリ３０６中に記憶されたディジタル・サンプルと相関付けられるまで続く。
【００２８】
復調器３１０は、種々の様式で実行されることができる。例として、ＣＤＭＡ通信システム、又はコンバット・フェーディング(combat fading)にダイバーシティ技術(diversity technique)を使用する、いずれかの他のタイプの通信システムにおいて、レーキ受信機が、使用されることができる。ＣＤＭＡ通信システムにおけるレーキ受信機は、ダイバーシティ利得を達成するために、分解可能な多重経路の独立したフェーディングを代表的に利用する。特に、レーキ受信機は、１又はそれ以上のゲートされたパイロット信号の多重経路を処理するために構成されることができる。各多重経路信号は、サーチャ３０８からのローカルに生成されたＰＮコードでＰＮコード逆拡散を実施するために独立したフィンガー・プロセッサに供給される。ウォルシュ・コード・デカバリングは、必要に応じてレーキ受信機によって提供されることもできる。レーキ受信機は、その後、ゲートされたパイロット信号を回復するために各フィンガー・プロセッサからの出力を統合する。
【００２９】
復調器の出力は、コード間隔の関数として３２の相関付けられたシンボルの全てに対して図４に示される。図４に示されたように、復調器出力は、いくつかのエネルギー・ピークを示す。大部分のエネルギー・ピークは、ノイズである。しかしながら、検索されたコセットに属している近隣の基地局からのパイロット信号バーストも、復調器出力におけるエネルギー・ピークとして現れるはずである。未検索コセットからのゲートされたパイロット信号バーストは、復調器では検出されない。
【００３０】
復調器３１０の出力は、プロセッサ３１２（図３参照）に供給される。プロセッサは、復調された出力に基づいて最も強いパイロット信号を有する基地局を選択するためのアルゴリズムを実行する。１つの方法は、各基地局からのパイロット信号バーストに対する各コセットを検索すること、検出したパイロット信号バーストをメモリ中に記憶すること、及び最も強いパイロット信号バーストを有する基地局を選択することを含む。具体例のＨＤＲ通信システムでは、１６コセットである。
【００３１】
あるいは、プロセッサは、残りのコセットの検索時間を削減するために１つのコセットからの検索からタイミング情報を使用するアルゴリズムを実行することができる。例として、初期コセット検索の後で、アルゴリズムは、復調器出力を３２セグメントへと減少させるために使用されることができる。各セグメントは、ローカルに生成されたＰＮコードの１シンボルとメモリ中に記憶されたディジタル・サンプルの相関付けを時間で表わしている。３２のセグメントは、図５に示されたように、その後、互いにオーバーレイされることができる。ゲートされたパイロット信号バーストが、共通の時間基準に同期されているため、パイロット信号バーストを表わしているエネルギー・ピークは、小さな領域中に密集するであろう。
【００３２】
パイロット信号バーストからノイズ・ピークを分離するために、プロセッサは、いかなる数の技術を利用することができる。スレッシュホールディング技術は、複数の最も強いエネルギー・ピークの２下になる全てのエネルギー・ピークを認識し、そしてノイズ・フロア５０２を計算するためにこれらの認識したエネルギー・ピークを平均することを利用することができる。一旦、ノイズ・フロア５０２が計算されると、しきい値より大きい全てのエネルギー・ピークが、パイロット信号バーストと考えられ、それより低いものはノイズと考えて、しきい値エネルギー・レベルは、計算されることができる。例として、しきい値は、計算されたノイズ・フロアより高い固定のエネルギー・レベルに設定されることができる。あるいは、しきい値は、最も強いエネルギー・ピークより低いあるエネルギー・レベルに設定されることができる。少なくとも１の実施形態では、計算されたノイズ・フロアより３ｄＢ高いしきい値が、使用される。このアプローチで、少なくとも３ｄＢの信号対ノイズ比を有するエネルギー・ピークは、パイロット信号バーストとしてプロセッサによって検出されるはずである。
【００３３】
復調器出力が３２セグメントに減少され、ＰＮコード位相オフセットからのパイロット信号バーストが互いに一番上にくるように時間の順番に重ねられているため、その後、パイロット信号バーストを表す全てのエネルギー・ピークは、最大エネルギー・ピークのまわりの小さなパイロット・ウィンドウ５０６の中になるはずである。パイロット・ウィンドウ５０６は、周波数ロックの欠如に起因するエラーと同様に、多重経路遅延を許容する大きさにされる。少なくとも１の実施形態では、パイロット・ウィンドウは、６４チップであり、最大エネルギー・ピークを中心にする。
【００３４】
スレッシュホールディング動作が計算されたしきい値より大きないずれかのエネルギー・ピークを検出することに失敗するならば、又は計算されたしきい値エネルギー・レベル５０４を超えるエネルギー・ピークが許容できるパイロット・ウィンドウ５０６の外にあるのであれば、このコセット中でのパイロット信号バーストの検索は、不成功と考えられる。そのような状態においては、メモリ中に記憶されたディジタル・サンプルは、更新され、次のコセットに対するＰＮコードと相関付けられるであろう。
【００３５】
スレッシュホールディング動作が失敗した否かを判断するためにプロセッサによって実行されるアルゴリズムは、通信環境、特定のアプリケーション、全体としての設計制約、及び他の関連する因子に依存して変化できる。例として、アルゴリズムは、最小の数のエネルギー・ピークがパイロット信号バーストを検出するために計算されたしきい値エネルギー・レベル５０４超えることを必要とする。最小の数は、一定値又は変化できる。変動は、検出したエネルギー・ピークの強度の関数である。さらに、アルゴリズムは、計算されたしきい値エネルギー・レベル５０４超える全てのエネルギー・ピークがパイロット・ウィンドウ５０６中になる、又はある割合だけになる必要がある。計算されたしきい値より大きく、パイロット・ウィンドウ内になるエネルギー・ピークの割合は、一定値又は変数である。変動は、計算されたしきい値エネルギー・レベル５０４を超えるエネルギー・ピークの強度の関数、又は計算されたしきい値エネルギー・レベル５０４を超えるエネルギー・ピークの数の関数である。種々の他のアルゴリズムは、この分野に知識のあるものにとって明らかであり、本発明の範囲内である。
【００３６】
一旦、コセット中のパイロット信号バーストがプロセッサによって検出されると、そのプロセッサは、パイロット信号バースト・タイミングの判断力を有するであろう。この情報をもって、ローカルに生成されたＰＮコードは、メモリ中に記憶された全てのディジタル・サンプルを通して位相順に連続的にシフトされることは、もはや必要でない。その代わり、プロセッサは、メモリ中に記憶された対応するＰＮコードと適切に位置を合わせるようにローカルに生成されたＰＮコードの位相オフセットを推定することができる。推定された位相オフセットは、特定の数のチップ内で相関プロセスを制限するために使用されることができる。少なくとも１の実施形態では、ローカルに生成されたＰＮコードは、１／２チップの増分でメモリ中に記憶されたディジタル・サンプルの６４チップ部分にわたって位相順に連続的にシフトされる。
【００３７】
プロセッサによって実行された具体例のアルゴリズムは、図６のフローチャートによって示される。ブロック６０２において、プロセッサは、基地局信号送信のディジタル・サンプルをメモリに記憶する。説明した具体例のＨＤＲ通信システムでは、各基地局は、３２，７６８チップ周期にわたって３２パイロット信号バーストを送信する。その結果、メモリ中に記憶されたディジタル・サンプルは、少なくとも１のパイロット・バーストが記憶されたことを確実するために少なくとも１０２４チップである。少なくとも１の実施形態では、２０４８チップは、相関プロセスの期間中にノイズ安全性を高めるためにメモリ中に記憶される。記憶されたディジタル・サンプルは、その後、プロセッサの制御の下でローカルに生成されたＰＮコードと相関付けられる。相関付けられた結果は、３２セグメントに削減され、図５に示されたように互いにオーバーレイされる。
【００３８】
相関付けられた結果のオーバーレイされたセグメントは、多くのパラメータを計算するために使用される。ブロック６０４において、ノイズ・フロアが計算される。ノイズ・フロア計算に基づいて、しきい値エネルギー・レベルは、ブロック６０６において計算される。ノイズ・フロア及びしきい値エネルギー・レベルは、図５と関連して上述した方式で、又はこの分野で知られるいずれかの方式で計算されることができる。相関付けられた結果のオーバーレイされたセグメントは、その後、ブロック６０８においてしきい値エネルギー・レベルに対して比較される。計算されたしきい値エネルギー・レベルを超える全てのエネルギー・ピークが最も強いエネルギー・ピーク、すなわちパイロット・ウィンドウ、から±３２チップ以内にない場合には、又は、エネルギー・ピークが計算されたエネルギーしきい値を超えない場合には、パイロット信号バーストの検索は、失敗である。
【００３９】
パイロット信号バーストの検索が失敗したのであれば、プロセッサは、１６コセット全てがブロック６１０において検索されたか否かを判断する。１又はそれ以上のコセットが検索されていないのであれば、その後プロセッサは、ブロック６１２において未検索のコセットの１つを選択する、そして検索プロセスを繰り返すためにブロック６０２にループして戻る。逆に、１６コセットの全てが検索されているのであれば、プロセッサは、ブロック６０２にループして戻る前に、ブロック６１４において１又はそれ以上の相関パラメータを調節する。
【００４０】
相関パラメータに対する特別の調節は、アプリケーションに依存し、通信環境及び全体の設計制約に依存して変化することがある。例として、ローカルに生成されたＰＮコードのチップ長さは、調節されることができる。相関プロセスが６４チップのローカルに生成されたＰＮコードを使用して１６コセット検索の間にパイロット信号バーストを検出することに失敗したのであれば、相関プロセスは、ノイズ性能を改善するために９６チップのローカルに生成されたＰＮコードで繰り返されることができる。長いローカルに生成されたＰＮコードは、改善されたノイズ安全性を提供するが、周波数オフセット及びドリフトにより敏感である。高精度で安定なオシレータを有する通信環境において、初期の１６コセット検索は、９６チップのローカルに生成されたＰＮコードを使用して実施されるはずである。
【００４１】
他の１の相関パラメータは、ローカルに生成されたＰＮコードの増加分の位相遅延を含む。相関プロセスが、１／２チップ増加毎に位相順にローカルに生成されたＰＮコードを連続的に増加することによって１６コセットの期間にパイロット信号バーストを検出することを失敗するのであれば、引き続く相関プロセスは、ローカルに生成されたＰＮコードの位相順に１/４チップ増加で実施されることができる。短い遅延ほど、高い利得を得られるが、コセットを検索するために必要な時間を増加する。他の相関パラメータは、ノイズ・フロア、しきい値エネルギー・レベル、及びパイロット・ウィンドウの幅を計算するためのアルゴリズムを含む。
【００４２】
しきい値を超える全てのエネルギー・ピークが最も強いエネルギー・ピークから±３２チップ以内であるならば、その後、時間基準は、ブロック６１６において最も強いエネルギー・ピークの位置に基づいて設定される。ブロック６１８において、タイミング基準は、６４チップの検索ウィンドウで全ての残存するパイロット信号バースト、すなわち５１２パイロット信号バースト、を検索するために使用される。検索ウィンドウの幅は、周波数ロックの欠如に起因するエラーと同様に、多重経路遅延を許容する大きさにされる。
【００４３】
一旦、１６コセット全てが検索されると、最も強いエネルギー・ピークが選択され、対応するゲートされたパイロット信号は、ブロック６２０において２回目の相関付けをされる。具体例の説明された実施形態では、１６の最大パイロット信号バーストが、選択される。しかしながら、この分野に知識のある者は、いかなる数のパイロット信号バーストが選択され得ることを、評価する。あるいは、最も強いパイロット信号バーストは、この点で捕捉のために単に選択されることができる。第２の相関プロセスは、メモリ中のディジタル・サンプルを更新すること、及び更新されたディジタル・サンプルを各コセットに対してローカルに生成されたＰＮコードと相関付けることを必要とする。ローカルに生成されたＰＮコードは、１又はそれ以上の選択されたパイロット信号バーストを含む。選択されたパイロット信号バーストからのタイミング情報は、ブロック６１８においてコセットを検索するために使用したチップより少ない数のチップへ相関プロセスを制限するために、推定した位相オフセットを更新するために使用することができる。説明した具体例の実施形態では、ローカルに生成されたＰＮコードは、１/２チップの増分でメモリ中に記憶されたディジタル・サンプルの８チップ部分にわたって位相順に連続的にシフトされる。
【００４４】
ブロック６２２において、第２の相関プロセスで判断したように、１６の中で最も強いパイロット信号バーストが、認識される。最も強いパイロット信号バーストは、その後、第２のしきい値エネルギー・レベルと比較される。第２のしきい値エネルギー・レベルは、一般に、周波数ロックを達成するために必要な最小のエネルギー・レベルに設定される。最も強いパイロット信号バーストが、第２のしきい値エネルギー・レベルより低ければ、その後、ゲートされたパイロット信号の検索は、失敗する。その結果、プロセッサは、１６コセットの全てが検索されたか否かを判断するために、ブロック６１０へループして戻る。１又はそれ以上のコセットが、検索されていないのであれば、その後、プロセッサは、ブロック６１２において未検索のコセットのうちの１つを選択し、検索プロセスを繰り返すためにブロック６０２へループして戻る。逆に、１６コセット全てが検索されたのであれば、プロセッサは、ブロック６０２へループして戻る前に、ブロック６１４において１又はそれ以上の相関パラメータを調節する。
【００４５】
最も強いパイロット信号バーストが、第２のしきい値エネルギー・レベルを超えるのであれば、その後、復調器は、ブロック６２４においてキャリア周波数を固定しようと試みる。復調器が、キャリア周波数を良好に固定できるならば、捕捉プロセスは完了し、通信チャネルは、ここで基地局と設定されることができる。復調器が、キャリア周波数を固定できないのであれば、その後、ゲートされたパイロット信号の検索は、失敗する。その結果、プロセッサは、同一の又は異なった相関パラメータで検索プロセスを繰り返すためにブロック６１０へループして戻る。
【００４６】
図６と関連して説明した具体例のプロセッサ・アルゴリズムは、種々の連続ブロックを含むけれども、ブロックのシーケンスがプロセッサのリソースを最適化するために代えることができること、又はその代わりに、１又はそれ以上のブロックが、並行して実施されることができることを、この分野に知識のある者は、歓迎するであろう。さらに、単独で、又は、図６に示した１又はそれ以上の説明したアルゴリズム・ブロックと組み合わせて、１又はそれ以上のブロックが省略できる、又は、この分野で周知の追加ブロックが使用できる。
【００４７】
ここに開示された実施形態に関連して記述された各種の例示の論理ブロック、モジュール、回路、及びアルゴリズム・ステップが、電子ハードウェア、コンピュータ・ソフトウェア、又は両者の組み合わせとして実行できることを、知識のある者は、さらに評価するであろう。ハードウェア及びソフトウェアのこの互換性をはっきりと説明するために、各種の例示の構成要素、ブロック、モジュール、回路、及びアルゴリズムは、一般的に機能性の面からこれまでに記述されてきた。そのような機能性が、ハードウェア又はソフトウェアとして実行されるか否かは、個々のアプリケーション及びシステム全体に課せられた設計の制約に依存する。熟練した職人は、述べられた機能性を各特定のアプリケーションに対して違ったやり方で実行することができる。しかし、そのような実行の決定は、本発明の範囲から離れては説明されない。
【００４８】
ここに開示された実施形態に関連して述べられた、各種の例示の論理ブロック、モジュール、及び回路は、汎用プロセッサ、ディジタル信号プロセッサ（ＤＳＰ）、用途特定集積回路（ＡＳＩＣ）、フィールド・プログラマブル・ゲートアレイ（ＦＰＧＡ）又は他のプログラマブル論理デバイス、ディスクリート・ゲート又はトランジスタ・ロジック、ディスクリート・ハードウェア素子、又はここに記述した機能を実行するために設計されたこれらのいずれかの組み合わせで、与えられる又は実行されることができる。汎用プロセッサは、マイクロプロセッサであり得る、しかし、その代わりに、プロセッサは、いかなる従来のプロセッサ、コントローラ、マイクロコントローラ、又はステートマシン(state machine)であってよい。プロセッサは、演算装置の組み合わせとして与えられることができる、例えば、ＤＳＰとマイクロプロセッサの組み合わせ、複数のマイクロプロセッサ、ＤＳＰコアと結合した１又はそれ以上のマイクロプロセッサ、又はそのようないずれかの他の構成であってよい。
【００４９】
ここに開示された実施形態に関連して述べられた方法又はアルゴリズムは、ハードウェアにおいて、プロセッサにより実行されるソフトウェア・モジュールにおいて、又は、両者の組み合わせにおいて直接実現されることができる。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能なディスク、ＣＤ−ＲＯＭ、又は、この分野で知られている他のいかなる記憶媒体の中に存在できる。ある具体例の記憶媒体は、プロセッサが記憶媒体から情報を読み出し、そこに情報を書き込めるようなプロセッサと接続される。その代わりのものでは、記憶媒体は、プロセッサに集積されることができる。プロセッサ及び記憶媒体は、ＡＳＩＣ中に存在できる。ＡＳＩＣは、ユーザー端末中に存在できる。
【００５０】
開示された実施形態のこれまでの説明は、本技術分野に知識のあるいかなる者でも、本発明を作成し、使用することを可能にする。これらの実施形態の各種の変形は、本技術分野に知識のある者に、容易に実現されるであろう。そして、ここで規定された一般的な原理は、本発明の精神及び範囲から逸脱しないで、他の実施形態にも適用できる。それゆえ、本発明は、ここに示された実施形態に制限することを意図したものではなく、ここに開示した原理及び卓越した特性と整合する広い範囲に適用されるものである。
以下に、本願発明の種々の観点に基づく発明を付記する。
［１］ゲートされたパイロット信号を捕捉する方法であって：
第１のゲートされたパイロット信号を検索すること；
該第１のゲートされたパイロット信号の該検索からタイミング情報を導出すること；及び
該タイミング情報を使用して第２のゲートされたパイロット信号を検索すること、
を具備する方法。
［２］該ゲートされたパイロット信号の該検索は、信号を受信すること、及びビット系列と該受信した信号とを相関付けることを具備する、［１］の方法。
［３］該ビット系列は、擬似ノイズ・コードを具備する、［２］の方法。
［４］該第２のゲートされたパイロット信号の該検索は、該第１のゲートされたパイロット信号の検索に使用した該ビット系列とは異なる第２のビット系列と該受信した信号とを相関付けることを具備する、［２］の方法。
［５］該ビット系列及び該第２のビット系列は、擬似ノイズ・コードをそれぞれ具備する、［４］の方法。
［６］該第１のゲートされたパイロット信号の該検索は、各々が異なるコード間隔で検出される複数の第１のゲートされたパイロット信号を検出すること、該コード間隔を互いにオーバーレイすること、及び該第１のゲートされたパイロット信号が該オーバーレイされたコード間隔における時間ウィンドウの中にあるかどうかを判断することを具備する、［１］の方法。
［７］該タイミング情報の導出は、該オーバーレイされたコード間隔における該時間ウィンドウの位置の関数である、［６］の方法。
［８］該第１のゲートされたパイロット信号の該検出は、信号を受信すること、及び各々が互いに異なる複数のビット系列と該受信した信号とを相関付けることを具備する、［６］の方法。
［９］該第１のゲートされたパイロット信号の該検索は、信号を受信すること、及び該受信した信号の第１の部分と第１のビット系列とを相関付けることを具備する、ここで、該第２のゲートされたパイロット信号の該検索は、該第１のビット系列とは異なる第２のビット系列を該受信した信号の第２の部分と相関付けることを具備し、該受信した信号の該第２の部分は、該受信した信号の該第１の部分よりも短い、［１］の方法。
［１０］該第１及び第２のビット系列は、擬似ノイズ・コードをそれぞれ具備する、［９］の方法。
［１１］該第２のゲートされたパイロット信号の該検索は、該タイミング情報の関数として該受信した信号の該第２の部分を規定することをさらに具備する、［９］の方法。
［１２］該第２のゲートされたパイロット信号の検索は、該タイミング情報を使用して時間内に検索ウィンドウを設定すること、及び該検索ウィンドウ内で該第２のゲートされたパイロット信号を検出することを具備する、［１］の方法。
［１３］受信機であって：
ビット系列を生成するために構成されたサーチャ；
該ビット系列と受信した信号とを相関付けるために構成されたコリレータ；及び
該相互関係の関数として第１のゲートされたパイロット信号を検出するため、該第１のゲートされたパイロット信号からタイミング情報を導出するため、及び該サーチャによって生成された該ビット系列を制御するために該タイミング情報を使用することによって第２のゲートされたパイロット信号を検出するために構成されたプロセッサ、
を具備する受信機。
［１４］該受信した信号を記憶するために構成されたメモリをさらに具備し、該コリレータは該ビット系列と該記憶した受信した信号とを相関付けるために構成される、［１３］の受信機。
［１５］該コリレータは、レーキ受信機を具備する、［１３］の受信機。
［１６］該サーチャによって生成された該ビット系列は、擬似ノイズ・コードを具備する、［１３］の受信機。
［１７］該プロセッサは、該第１のゲートされたパイロット信号を検出するために使用する該ビット系列が該第２のゲートされたパイロット信号を検出するために使用した該ビット系列と異なるように、該サーチャによって生成される該ビット系列を制御するためにさらに構成される、［１３］の受信機。
［１８］該プロセッサは、複数の異なるビット系列を通して該サーチャをシーケンシングすることによって、各々の該ビット系列と該受信した信号との間の該相互関係をオーバーレイすることによって、及び該オーバーレイされた相互関係の時間ウィンドウ内で該第１のゲートされたパイロット信号を検出することによって、該第１のゲートされたパイロット信号を検出するためにさらに構成される、［１３］の受信機。
［１９］該プロセッサは、該オーバーレイされた相互関係の該時間ウィンドウの位置の関数として該タイミング情報を導出するためにさらに構成される、［１８］の受信機。
［２０］該プロセッサは、該ビット系列が該第１のゲートされたパイロット信号の該検出の期間に該受信した信号の第１の部分と相関付けられ、そして該ビット系列が該第２のゲートされたパイロット信号の該検出の期間に該受信した信号の第２の部分と相関付けられるように、該サーチャを制御するためにさらに構成され、該受信した信号の該第２の部分は該受信した信号の該第１の部分よりも短い、［１３］の受信機。
［２１］該サーチャによって生成された該ビット系列は、擬似ノイズ・コードを具備する、［２０］の受信機。
［２２］該プロセッサは、該タイミング情報の関数として該受信した信号の該第２の部分を規定するためにさらに構成される、［２０］の受信機。
［２３］該プロセッサは、該第２のゲートされたパイロット信号の該検出の期間に該タイミング情報を使用して時間内に検索ウィンドウを設定するため、そして該検索ウィンドウ内で該第２のゲートされたパイロット信号を検出するためにさらに構成される、［１３］の受信機。
［２４］ゲートされたパイロット信号を捕捉する方法を実行するためにコンピュータによって実行可能である命令のプログラムを組み込んでいるコンピュータ読み取り可能な媒体であって、該方法は：
第１のゲートされたパイロット信号を検索すること；
該第１のゲートされたパイロット信号の該検索からタイミング情報を導出すること；及び
該タイミング情報を使用して第２のゲートされたパイロット信号を検索すること、
を具備する方法である、コンピュータ読み取り可能な媒体。
［２５］該ゲートされたパイロット信号の該検索は、信号を受信すること、及びビット系列と該受信した信号とを相関付けることを具備する、［２４］のコンピュータ読み取り可能な媒体。
［２６］該ビット系列は、擬似ノイズ・コードを具備する、［２５］のコンピュータ読み取り可能な媒体。
［２７］該第２のゲートされたパイロット信号の該検索は、該第１のゲートされたパイロット信号を検索するために使用した該ビット系列とは異なる第２のビット系列と該受信した信号とを相関付けることを具備する、［２５］のコンピュータ読み取り可能な媒体。
［２８］該ビット系列及び該第２のビット系列は、擬似ノイズ・コードをそれぞれ具備する、［２７］のコンピュータ読み取り可能な媒体。
［２９］該第１のゲートされたパイロット信号の該検索は、各々が異なるコード間隔で検出される複数の第１のゲートされたパイロット信号を検出すること、該コード間隔を互いにオーバーレイすること、及び該第１のゲートされたパイロット信号が該オーバーレイされたコード間隔における時間ウィンドウ内であるかどうかを判断すること、を具備する、［２４］のコンピュータ読み取り可能な媒体。
［３０］該タイミング情報の導出は、該オーバーレイされたコード間隔における該時間ウィンドウの位置の関数である、［２９］のコンピュータ読み取り可能な媒体。
［３１］該第１のゲートされたパイロット信号の該検出は、信号を受信すること、及び各々が互いに異なる複数のビット系列と該受信した信号とを相関付けることを具備する、［２９］のコンピュータ読み取り可能な媒体。
［３２］該第１のゲートされたパイロット信号の該検索は、信号を受信すること、及び該受信した信号の第１の部分と第１のビット系列とを相関付けることを具備する、ここで、該第２のゲートされたパイロット信号の該検索は、該受信した信号の第２の部分と該第１のビット系列とは異なる第２のビット系列とを相関付けることを具備し、該受信した信号の該第２の部分は、該受信した信号の該第１の部分より短い、［２４］のコンピュータ読み取り可能な媒体。
［３３］該第１及び第２のビット系列は、擬似ノイズ・コードをそれぞれ具備する、［３２］のコンピュータ読み取り可能な媒体。
［３４］該第２のゲートされたパイロット信号の該検索は、該タイミング情報の関数として該受信した信号の該第２の部分を規定することをさらに具備する、［３２］のコンピュータ読み取り可能な媒体。
［３５］該第２のゲートされたパイロット信号の検索は、該タイミング情報を使用して時間内に検索ウィンドウを設定すること、及び該検索ウィンドウ内で該第２のゲートされたパイロット信号を検出することを具備する、［２４］のコンピュータ読み取り可能な媒体。
［３６］第１のゲートされたパイロット信号を検出するための第１の検出手段；及び
該第１のゲートされたパイロット信号からタイミング情報を導出するためのタイミング手段；及び
該タイミング情報を使用することにより第２のゲートされたパイロット信号を検出するための第２の検出手段、
を具備する受信機。
［３７］ビット系列を生成するためのビット手段、及び該ビット系列と受信した信号とを相関付けるための相関手段、をさらに具備し、該第１及び第２の検出手段は、それぞれ該相関手段に敏感である、［３６］の受信機。
［３８］該受信した信号を取り込むための手段をさらに具備し、該相関手段は該ビット系列と該取り込んだ受信した信号とを相関付けるために構成される、［３７］の受信機。
［３９］該相関手段は、レーキ受信機を具備する、［３７］の受信機。
［４０］該ビット手段によって生成された該ビット系列は、擬似ノイズ・コードを具備する、［３７］の受信機。
［４１］該第１の検出手段は、第１のビット系列を生成するために該ビット手段を制御するための手段を具備し、及び該第２の検出手段は、該第１のビット系列とは異なる第２のビット系列を生成するために該ビット手段を制御するための手段を具備する、［３７］の受信機。
［４２］該第１の検出手段は、複数の異なるビット系列を通して該ビット手段をシーケンシングするための手段、該ビット系列のそれぞれと該受信した信号との間の該相互関係をオーバーレイするための手段、及び該オーバーレイされた相互関係の時間ウィンドウ内で該第１のゲートされたパイロット信号を検出するための手段を具備する、［３７］の受信機。
［４３］該タイミング手段は、該オーバーレイされた相互関係の該時間ウィンドウの位置の関数として該タイミング情報を導出するための手段をさらに具備する、［４２］の受信機。
［４４］該第１の検出手段は、該ビット系列が該受信した信号の第１の部分と相関付けられるように該ビット手段を制御するための手段を具備し、及び該第２の検出手段は、該ビット系列が該受信した信号の第２の部分と相関付けられるように該ビット手段を制御するための手段を具備する、該受信した信号の第２の部分は該受信した信号の該第１の部分よりも短い、［３７］の受信機。
［４５］該ビット手段によって生成された該ビット系列は、擬似ノイズ・コードを具備する、［４４］の受信機。
［４６］該第２の検出手段は、該タイミング情報の関数として該受信した信号の該第２の部分を規定するための手段を具備する、［４４］の受信機。
［４７］該第２の検出手段は、該タイミング情報を使用して時間内に検索ウィンドウを設定するための手段、及び該検索ウィンドウ内で該第２のゲートされたパイロット信号を検出するための手段を具備する、［３６］の受信機。
［４８］ゲートされたパイロット信号を捕捉する方法であって：
第１のコセットからのビット系列をそれぞれ具備する複数の第１のゲートされたパイロット信号を検索すること；
該第１のゲートされたパイロット信号の該検索からタイミング情報を導出すること；及び
該タイミング情報を使用して複数の第２のゲートされたパイロット信号を検索することを具備し、各々の該第２のゲートされたパイロット信号は、該第１のコセット以外の複数のコセットのうちの１からのビット系列を具備する、
方法。
［４９］該第１のゲートされたパイロット信号の該検索は、信号を受信すること、及び該第１のコセットからの該ビット系列のそれぞれと該受信した信号とを相関付けることを具備する、［４８］の方法。
［５０］該第１のコセットからの該ビット系列のそれぞれは、擬似ノイズ・コードを具備する、［４９］の方法。
［５１］該第２のゲートされたパイロット信号の該検索は、該第１のコセット以外の各々の該コセットからの該ビット系列のそれぞれと該受信した信号とを相関付けることを具備する、［４９］の方法。
［５２］各々の該コセットからの該ビット系列のそれぞれは、擬似ノイズ・コードを具備する、［５１］の方法。
［５３］該第１のゲートされたパイロット信号の該検索は、異なるコード間隔でそれぞれ検出される複数の第１のゲートされたパイロット信号を検出すること、互いに該コード間隔をオーバーレイすること、及び該第１のゲートされたパイロット信号が該オーバーレイされたコード間隔における時間ウィンドウ内であるか否かを判断することを具備する、［４８］の方法。
［５４］該タイミング情報の導出は、該オーバーレイされたコード間隔における該時間ウィンドウの位置の関数である、［５３］の方法。
［５５］該第１のゲートされたパイロット信号の該検出は、信号を受信すること、及び各々が互いに異なる複数のビット系列と該受信した信号とを相関付けることを具備する、［５３］の方法。
［５６］該第１のゲートされたパイロット信号の該検索は、信号を受信すること、及び該受信した信号の第１の部分と該第１のコセットからの該ビット系列のそれぞれとを相関付けることを具備する、ここで、該第２のゲートされたパイロット信号の該検索は、該受信した信号の第２の部分と該第１のコセット以外の各々の該コセットからの該ビット系列のそれぞれとを相関付けることを具備する、該受信した信号の該第２の部分は、該受信した信号の該第１の部分より短い、［４８］の方法。
［５７］各々の該コセットからの該ビット系列のそれぞれは、擬似ノイズ・コードを具備する、［５６］の方法。
［５８］該第２のゲートされたパイロット信号の該検索は、該タイミング情報の関数として該受信した信号の該第２の部分を規定することをさらに具備する、［５６］の方法。
［５９］該第２のゲートされたパイロット信号の検索は、該タイミング情報を使用して時間内に検索ウィンドウを設定すること、及び該検索ウィンドウ内で該第２のゲートされたパイロット信号を検出することを具備する、［４８］の方法。
［６０］ビット系列を生成するために構成されたサーチャ；
該ビット系列と受信した信号とを相関付けるために構成されたコリレータ；及び
第１のコセットからの複数の第１のビット系列を通して該サーチャをシーケンシングすることによって複数の第１のゲートされたパイロット信号を検索するため、該第１のコセットからの該ビット系列のそれぞれと該受信した信号との該相互関係の関数としてタイミング情報を導出するため、及び該第１のコセット以外の複数のコセットそれぞれからの複数のビット系列を通して該サーチャをシーケンシングすることによって、そして該タイミング情報の関数として該受信した信号とのそれらの該相互関係を制御することによって複数の第２のゲートされたパイロット信号を検索するために、構成されたプロセッサ、
を具備する受信機。
［６１］該受信した信号を記憶するために構成されたメモリ、をさらに具備し、該コリレータは該サーチャによって生成される該ビット系列と該記憶した受信した信号とを相関付けるために構成される、［６０］の受信機。
［６２］該コリレータは、レーキ受信機を具備する、［６０］の受信機。
［６３］該サーチャによって生成された各々の該ビット系列は、擬似ノイズ・コードを具備する、［６０］の受信機。
［６４］該プロセッサは、該受信した信号と該第１のコセットからの該ビット系列の各々との該相互関係をオーバーレイするため、及び該オーバーレイされた相互関係の時間ウィンドウ内で該第１のゲートされたパイロット信号を検索するためにさらに構成される、［６０］の受信機。
［６５］該プロセッサは、該オーバーレイされた相互関係の該時間ウィンドウの位置の関数として該タイミング情報を導出するためにさらに構成される、［６４］の受信機。
［６６］該プロセッサは、該第１のコセットからの該ビット系列のそれぞれが該受信した信号の第１の部分と相関付けられるように、そして該第１のコセット以外の各々の該コセットからの該ビット系列のそれぞれが該受信した信号の第２の部分と相関付けられるように、該サーチャを制御するためにさらに構成される、該受信した信号の該第２の部分は該受信した信号の該第１の部分より短い、［６０］の受信機。
［６７］該サーチャによって生成された各々の該ビット系列は、擬似ノイズ・コードを具備する、［６６］の受信機。
［６８］該プロセッサは、該タイミング情報の関数として該受信した信号の該第２の部分を規定するためにさらに構成される、［６６］の受信機。
［６９］該プロセッサは、該受信した信号に関して時間内に検索ウィンドウを設定するため、及び該第１のコセット以外の各々の該コセットからの該ビット系列のそれぞれと該受信された信号との該相関付けを該検索ウィンドウに制限することによって該第２のゲートされたパイロット信号を検索するためにさらに構成される、［６６］の受信機。
［７０］通信チャネルを設定する方法であって：
第１のコセットからのビット系列をそれぞれが具備する第１のゲートされたパイロット信号を複数の第１の基地局のそれぞれから送信すること；
該第１のコセット以外の複数のコセットのうちの１からのビット系列をそれぞれが具備する第２のゲートされたパイロット信号を複数の第２の基地局のそれぞれから送信すること；
該第１のゲートされたパイロット信号を加入者局から検索すること、及び該第１のゲートされたパイロット信号の該検索からタイミング情報を導出すること；
該タイミング情報を使用して該第２のゲートされたパイロット信号を該加入者局から検索すること；及び
該第１の及び第２のゲートされたパイロット信号の該検索に基づいて該加入者局と該第１及び第２の基地局のうちの１との間の通信チャネルを設定すること、
を具備する方法。
［７１］該第１のゲートされたパイロット信号の該検索は、該加入者において該基地局の各々からの該送信を受信すること、及び該第１のコセットからの該ビット系列のそれぞれと該受信した送信とを相関付けることを具備する、［７０］の方法。
［７２］該第１のコセットからの該ビット系列のそれぞれは、擬似ノイズ・コードを具備する、［７１］の方法。
［７３］該第２のゲートされたパイロット信号の該検索は、該第１のコセット以外の各々の該コセットからの該ビット系列のそれぞれと該受信した送信とを相関付けることを具備する、［７１］の方法。
［７４］各々の該コセットからの該ビット系列のそれぞれは、擬似ノイズ・コードを具備する、［７０］の方法。
［７５］該第１のゲートされたパイロット信号の該検索は、該第１のコセットからの該ビット系列のそれぞれと該受信した送信とを相関付けること、該第１のコセットからの該ビット系列のそれぞれと該受信した送信との間の該相互関係をオーバーレイすること、及び該オーバーレイされた相互関係において時間ウィンドウ内で該第１のゲートされたパイロット信号を検索することを具備する、［７０］の方法。
［７６］該タイミング情報の導出は、該オーバーレイされた相互関係における該時間ウィンドウの位置の関数である、［７５］の方法。
［７７］該第１のゲートされたパイロット信号の該検索は、該基地局の各々からの該送信を該基地局において受信すること、及び受該信した送信の第１の部分と該第１のコセットからの該ビット系列のそれぞれとを相関付けることを具備する、ここで、該第２のゲートされたパイロット信号の該検索は、該受信した送信の第２の部分と該第１のコセット以外の各々の該コセットからの該ビット系列のそれぞれとを相関付けることを具備する、該受信した信号の該第２の部分は、該受信した信号の該第１の部分より短い、［７０］の方法。
［７８］各々の該コセットからの該ビット系列のそれぞれは、擬似ノイズ・コードを具備する、［７７］の方法。
［７９］該第２のゲートされたパイロット信号の該検索は、該タイミング情報の関数として該受信した送信の該第２の部分を規定することを具備する、［７７］の方法。
［８０］第該２のゲートされたパイロット信号の検索は、該タイミング情報を使用して時間内に検索ウィンドウを設定すること、及び該検索ウィンドウ内で該第２のゲートされたパイロット信号を検索することを具備する、［７０］の方法。
【図面の簡単な説明】
【００５１】
【図１】具体例の通信システムのシステム図である。
【図２】ＣＤＭＡ通信システムにおいて動作するいくつかの具体例の基地局に対するＰＮコード系列を示すタイミング図である。
【図３】ＣＤＭＡ通信システムにおける具体例の受信機のブロック図である。
【図４】ＣＤＭＡ受信機において使用された具体例の復調器の出力のコード間隔図である。
【図５】図４の具体例のデモジュレータ出力の処理された版のコード間隔図である。
【図６】ＣＤＭＡ受信機中のプロセッサによって実施した具体例のアルゴリズムを示すフローチャートである。
【図１】
0004335959.tif 000002
【図２】
0004335959.tif 000003
【図３】
0004335959.tif 000004
【図４】
0004335959.tif 000005
【図５】
0004335959.tif 000006
【図６】
0004335959.tif 000007